(57)【要約】      （修正有）【課題】ユーザの動きを通信先に通知することが可能な送信装置、通信装置、通知システム、通知方法およびプログラムを提供する。【解決手段】送信装置は、カメラや加速度センサでユーザの動きを検出し、検出部が検出したユーザの動きを表す動き情報を通信先に送信する。受信装置は、送信者の動きを表す動き情報を受信して、バイブレータによる振動の流れにより送信者の動きを再現して通知することにより、相手の態度や心理状態を把握し易くなる。【選択図】図１
2012216911.tif 000002
【特許請求の範囲】
【請求項１】
ユーザの動きを検出する検出手段と、
前記検出手段が検出したユーザの動きを表す動き情報を通信先に送信する送信手段と、を含む送信装置。
【請求項２】
請求項１に記載の送信装置において、
前記送信手段は、前記検出手段が検出したユーザの動きを前記通信先の相手に通知する通知処理の実行を要求する旨の要求情報を、前記動き情報として送信する、送信装置。
【請求項３】
通信元の送信者の動きを表す動き情報を前記通信元から受信する受信手段と、
前記受信手段にて受信された動き情報に応じて前記送信者の動きを通知する通知処理を実行する実行手段と、を含む通信装置。
【請求項４】
請求項３に記載の通信装置において、
前記実行手段は、バイブレータを有し、前記通知処理として、前記動き情報に応じて前記バイブレータを振動させる処理を実行する、通信装置。
【請求項５】
送信装置と通信装置とを有する通知システムであって、
前記送信装置は、
前記送信装置のユーザの動きを検出する検出手段と、
前記検出手段が検出したユーザの動きを表す動き情報を通信先の前記通信装置に送信する送信手段と、を含み、
前記通信装置は、
前記送信装置から送信された動き情報を受信する受信手段と、
前記受信手段にて受信された動き情報に応じて前記ユーザの動きを通知する通知処理を実行する実行手段と、を含む、通知システム。
【請求項６】
送信装置の通知方法であって、
前記送信装置のユーザの動きを検出する検出ステップと、
前記検出されたユーザの動き表す動き情報を通信先に送信する送信ステップと、を含む通知方法。
【請求項７】
通信装置の通知方法であって、
通信元の送信者の動き表す動き情報を前記通信元から受信する受信ステップと、
前記受信された動き情報に応じて前記ユーザの動きを通知する通知処理を実行する実行ステップと、を含む通知方法。
【請求項８】
送信装置と通信装置とを有する通知システムの通知方法であって、
前記送信装置が、前記送信装置のユーザの動きを検出する検出ステップと、
前記送信装置が、前記検出されたユーザの動き表す動き情報を通信先の前記通信装置に送信する送信ステップと、
前記通信装置が、前記送信装置から送信された動き情報を受信する受信ステップと、
前記通信装置が、前記受信された動き情報に応じて前記ユーザの動きを通知する通知処理を実行する実行ステップと、を含む通知方法。
【請求項９】
送信装置内のコンピュータに、
前記送信装置のユーザの動きを検出する検出手順と、
前記検出手順にて検出されたユーザの動きを表す動き情報を通信先に送信する送信手順と、を実行させるためのプログラム。
【請求項１０】
通信装置内のコンピュータに、
通信元の送信者の動きを表す動き情報を前記通信元から受信する受信手順と、
前記受信手順にて受信された動き情報に応じて前記ユーザの動きを通知する通知処理を実行する実行手順と、を実行させるためのプログラム。
【発明の詳細な説明】
【技術分野】
【０００１】
本発明は、送信装置、通信装置、通知システム、通知方法およびプログラムに関し、特には、ユーザの動きを通知する送信装置、通信装置、通知システム、通知方法およびプログラムに関する。
【背景技術】
【０００２】
特許文献１には、通話先の携帯電話に備えられたバイブレータを振動させることが可能な携帯電話が記載されている。特許文献１に記載の携帯電話は、ボタンが設けられた操作部と、基地局を介して通話先の携帯電話と通信を行う通信部と、を備えている。
【０００３】
特許文献１に記載の携帯電話では、操作部に設けられた「バイブ要求」ボタンが通話中に押下されたときに、通信部がバイブ要求を基地局に送信する。通話先の携帯電話は、基地局がバイブ要求に応じて送信した振動コマンドを受信すると、自装置に備えられたバイブレータを振動させる。
【先行技術文献】
【特許文献】
【０００４】
【特許文献１】特開２００４−７２２９２号公報
【発明の概要】
【発明が解決しようとする課題】
【０００５】
特許文献１に記載の携帯電話において、通話中に、通話先の携帯電話に備えられたバイブレータを振動させるには、ユーザが「バイブ要求」ボタンを意図的に押下する必要がある。また、通話中には、ユーザが頭を下げるような動きが無意識に行われていることが多い。このユーザが無意識に行う動きを通話中の相手に通知できれば、通話中の相手は、通信元のユーザの態度を把握し易くなる。
【０００６】
しかしながら、ユーザが無意識に行う動きをユーザは認識できない。よって、ユーザが無意識に行うユーザの動きを通信先の相手に通知するために、ユーザがボタンを操作して通信先のバイブレータを振動させることは困難である。
【０００７】
本発明の目的は、ユーザの動きを通信先に通知することが可能な送信装置、通信装置、通知システム、通知方法およびプログラムを提供することにある。
【課題を解決するための手段】
【０００８】
本発明の送信装置は、ユーザの動きを検出する検出手段と、前記検出手段が検出したユーザの動きを表す動き情報を通信先に送信する送信手段と、を含む。
【０００９】
本発明の通信方法は、通信元の送信者の動きを表す動き情報を前記通信元から受信する受信手段と、前記受信手段にて受信された動き情報に応じて前記送信者の動きを通知する通知処理を実行する実行手段と、を含む。
【００１０】
本発明の通知システムは、送信装置と通信装置とを有する通知システムであって、前記送信装置は、前記送信装置のユーザの動きを検出する検出手段と、前記検出手段が検出したユーザの動きを表す動き情報を通信先の前記通信装置に送信する送信手段と、を含み、前記通信装置は、前記送信装置から送信された動き情報を受信する受信手段と、前記受信手段にて受信された動き情報に応じて前記ユーザの動きを通知する通知処理を実行する実行手段と、を含む。
【００１１】
本発明の通知方法は、送信装置の通知方法であって、前記送信装置のユーザの動きを検出する検出ステップと、前記検出されたユーザの動き表す動き情報を通信先に送信する送信ステップと、を含む。
【００１２】
本発明の通知方法は、通信装置の通知方法であって、通信元の送信者の動き表す動き情報を前記通信元から受信する受信ステップと、前記受信された動き情報に応じて前記ユーザの動きを通知する通知処理を実行する実行ステップと、を含む。
【００１３】
本発明の通知方法は、送信装置と通信装置とを有する通知システムの通知方法であって、前記送信装置が、前記送信装置のユーザの動きを検出する検出ステップと、前記送信装置が、前記検出されたユーザの動き表す動き情報を通信先の前記通信装置に送信する送信ステップと、前記通信装置が、前記送信装置から送信された動き情報を受信する受信ステップと、前記通信装置が、前記受信された動き情報に応じて前記ユーザの動きを通知する通知処理を実行する実行ステップと、を含む。
【００１４】
本発明のプログラムは、送信装置内のコンピュータに、前記送信装置のユーザの動きを検出する検出手順と、前記検出手順にて検出されたユーザの動きを表す動き情報を通信先に送信する送信手順と、を実行させる。
【００１５】
本発明のプログラムは、通信装置内のコンピュータに、通信元の送信者の動きを表す動き情報を前記通信元から受信する受信手順と、前記受信手順にて受信された動き情報に応じて前記ユーザの動きを通知する通知処理を実行する実行手順と、を実行させる。
【発明の効果】
【００１６】
本発明によれば、ユーザの動きを通信先に通知することが可能になる。
【図面の簡単な説明】
【００１７】
【図１】本発明の一実施形態における送信装置の構成例を示すブロック図である。
【図２】受信装置の構成例を示すブロック図である。
【図３】送信装置と受信装置とを有する通知システムを示すブロック図である。
【図４】通知システムにおける通知方法の処理手順例を示すフローチャートである。
【発明を実施するための形態】
【００１８】
以下、本発明の一実施形態について図面を参照して説明する。
【００１９】
図１は、本実施形態における送信装置の構成例を示すブロック図である。
【００２０】
送信装置１０は、通信先の受信装置と通信を行う発信端末である。送信装置１０は、例えば、携帯電話機、携帯情報端末や、ゲーム機などで実現される。送信装置１０は、検出部１１と処理部１４とを備える。処理部１４は、解析部１２と送信部１３とを備える。解析部１２は、メモリ１２１とＣＰＵ（Central Processing Unit）１２２とを備える。
【００２１】
検出部１１は、一般的に検出手段と呼ぶことができる。
【００２２】
検出部１１は、ＣＰＵ１２２の制御に従って、送信装置１０のユーザの動きを検出する身振り検出部である。検出部１１は、ユーザの動きを検出してそのユーザの動きを表す検出信号を出力する。検出部１１は、加速度センサ１１１とカメラ１１２とを備える。
【００２３】
加速度センサ１１１は、送信装置１０の所定の方向の加速度を測定し、その加速度が大きいほど信号レベルの大きな検出信号を出力する。加速度センサ１１１は、例えば、送信装置１０の上下方向（ｘ方向）と、左右方向（ｙ方向）と、上下方向および左右方向と互いに直交する前後方向（ｚ方向）との各方向の加速度を測定する。
【００２４】
カメラ１１２は、ＣＰＵ１２２の制御に従って、画像を撮像して画像を示す画像信号を生成する。カメラ１１２は、複数の画像を撮像して画像ごとに画像信号を生成する。なお、カメラ１１２は、ユーザを撮像している間、検出信号として複数の画像信号を１つずつＣＰＵ１２２に出力してもよい。
【００２５】
処理部１４は、一般的に送信手段と呼ぶことができる。
【００２６】
処理部１４は、検出部１１が検出したユーザの動きを表す検出信号を通信先の受信装置に送信する。例えば、処理部１４は、検出部１１から検出信号を受け付けると、その検出信号に応じてユーザの動きを特定し、そのユーザの動きを示す動き情報を検出信号として送信する。本実施形態では、処理部１４は、検出部１１が検出したユーザの動きを通信先の相手に通知する通知処理の実行を要求する旨の要求情報を検出信号として送信する。
【００２７】
解析部１２は、検出部１１が検出したユーザの動きを解析する。解析部１２は、検出部１１から検出信号を受け付けると、その検出信号の時系列の変化（パターン）に応じてユーザの動きを特定する。さらに解析部１２は、そのユーザの動きを通知する通知処理の実行を要求する旨の要求情報を生成する。
【００２８】
メモリ１２１は、ＣＰＵ１２２が実行するプログラムを記憶する。メモリ１２１は、ユーザの動きを特定するための特定情報ごとに、特定情報と、ユーザの動きを通知する通知処理の実行を要求する旨の要求情報と、を互いに対応付けて保持する。例えば、メモリ１２１には、通話中にユーザが頭を下げるという動きを特定するための特定情報や、通話中にユーザが手を左右に振るという動きを特定するための特定情報が予め保持されている。なお、メモリ１２１は、コンピュータ読み取り可能な記録媒体である。
【００２９】
ＣＰＵ１２２は、加速度センサ１１１と、カメラ１１２と、メモリ１２１と、送信部１３とをそれぞれ制御するコンピュータである。ＣＰＵ１２２は、加速度センサ１１１から検出信号を受け付けると、その検出信号のレベルに応じてユーザの動きを判断する。
【００３０】
例えば、ＣＰＵ１２２は、検出信号のレベルが所定の上下閾値を超えた場合に、通話中のユーザが頭を下げたと判断する。この例では、メモリ１２１内の特定情報に所定の上下閾値が示されており、通話中にユーザが頭を下げたときに加速度センサ１１１は、送信装置１０が静止状態のときよりも大きなレベルの検出信号を出力する。そして検出信号のレベルが所定の上下閾値を超えた場合にＣＰＵ１２２は、メモリ１２１を参照して、所定の上下閾値を示す特定情報に対応付けられた要求情報を特定し、その要求情報を送信部１３に出力する。
【００３１】
あるいは、ＣＰＵ１２２は、検出信号のレベルが所定の左右閾値を超えてから所定の左右閾値よりも小さくなるという動作を示す検出信号を所定時間内に所定回数受け付けた場合に、通話中のユーザが手を左右に振ったと判断する。この例では、メモリ１２１内の特定情報に所定の左右閾値が示されており、ユーザが手を左右に振ったときに加速度センサ１１１は、送信装置１０が静止状態のときよりも大きなレベルの検出信号を出力する。そしてＣＰＵ１２２は、メモリ１２１を参照して、所定の左右閾値を示す特定情報に対応付けられた要求情報を特定し、その要求情報を送信部１３に出力する。
【００３２】
送信部１３は、解析部１２から要求情報を受け付けると、その要求情報を通信先の受信装置宛てに送信する。
【００３３】
なお、本実施形態では、ユーザの動きを検出する検出手段として加速度センサ１１１を用いる例について説明したが、通話の相手を表示する表示部を備える送信装置において、ユーザが表示部を見ながら通話を行う場合には、カメラ１１２が検出手段として用いられてもよい。この場合、ＣＰＵ１２２は、カメラ１１２から画像信号を受け付けると、例えば、画像信号と、その画像信号が受け付けられる直前に受け付けた画像信号とを用いて画像内のユーザの頭の動きを特定する。
【００３４】
図２は、本実施形態における受信装置の構成例を示すブロック図である。
【００３５】
受信装置２０は、通信元の送信装置と通信を行う通信装置である。受信装置２０は、例えば、携帯電話機、携帯情報端末や、ゲーム機などで実現される受信端末である。受信装置２０は、受信部２１と実行部２２とを備える。
【００３６】
受信部２１は、一般的に受信手段と呼ぶことができる。
【００３７】
受信部２１は、通信元の送信者の動きを表す検出信号を通信元の送信装置から受信する。本実施形態では、受信部２１は、送信装置から送信された検出信号として、通信元の送信者の動きを通知する通知処理の実行を要求する旨の要求情報を受信する。受信部２１は、送信装置から要求情報を受け付けると、その要求情報を実行部２２に供給する。
【００３８】
実行部２２は、一般的に実行手段と呼ぶことができる。
【００３９】
実行部２２は、通信元の送信者の動きを通知する通知処理を実行する身振り再現部である。例えば、実行部２２は、受信部２１から要求情報を受け付けると、複数の通知処理のうち要求情報にて特定される通知処理を実行する。実行部２２は、メモリ２２１と、バイブレータ２２２と、ＣＰＵ２２３と、を備える。
【００４０】
メモリ２２１は、ＣＰＵ２２３が実行するプログラムを記憶する。メモリ２２１は、送信者の動きごとに、要求情報と、送信者の動きを通知する通知処理を示す通知処理情報と、を互いに対応付けて保持する。なお、メモリ２２１は、コンピュータ読み取り可能な記録媒体である。
【００４１】
バイブレータ２２２は、通信元の送信者の動きを受信装置２０の使用者に通知するために用いられる。バイブレータ２２２は、使用者が送信者と通話するときに使用者の手のひらが、受信装置２０の筺体に触れる場所付近の筺体内に設けられる。
【００４２】
バイブレータ２２２は、例えば、２つの偏心回転子と制御部とを含み、制御部が、２つの偏心回転子の回転方向と、２つの偏心回転子の位相関係とを制御すると共に、２つの偏心回転子の回転速度を急激に増速してから回転速度を緩慢に減速するという動作を繰り返し行う。よって、バイブレータ２２２は、特定の方向に引っ張られる（流れる）感覚を使用者が得られる振動を発生させることが可能となる。
【００４３】
例えば、バイブレータ２２２は、送信者が頭を下げた動きを通知するために、受信装置２０の上から下に流れるように振動する。あるいは、バイブレータ２２２は、送信者が手を左右に振った動きを通知するために受信装置２０の左から右に流れるように振動する。
【００４４】
本実施形態では、受信装置２０の上下方向（ｘ方向）と左右方向（ｙ方向）と前後方向（ｚ方向）の各方向に流れるような振動を発生させるバイブレータ２２２を設けることで、受信装置２０は、バイブレータ２２２を用いて送信者の動きを再現することが可能となる。
【００４５】
ＣＰＵ２２３は、受信部２１とメモリ２２１とバイブレータ２２２とをそれぞれ制御するコンピュータである。
【００４６】
ＣＰＵ２２３は、受信部２１から要求情報を受け付けると、その要求情報と一致するメモリ２２１内の要求情報に対応付けられた通知処理情報を特定する。ＣＰＵ２２３は、通知処理情報に示される通知処理を実行してバイブレータ２２２を振動させる。
【００４７】
例えば、ＣＰＵ２２３は、送信者が頭を下げたことを通知するために、受信装置２０が上から下へ流れるように振動するバイブレータ２２２を振動させる処理を実行する。あるいは、ＣＰＵ２２３は、送信者が手を左右に振ったことを通知するために、受信装置２０が左から右に流れるように振動するバイブレータ２２２を振動させる処理を実行する。
【００４８】
本実施形態では、バイブレータ２２２を用いて送信者の動きを通知する例について説明したが、送信者の動きを通知する通知手法としてはこれに限られない。例えば、複数のスピーカを用いて送信者の動きを通知することも可能である。この場合、ＣＰＵ２２３は、音源が移動するように通話の相手の音声信号に音声処理を施す。
【００４９】
図３は、送信装置と受信装置とを有する通知システムの構成例を示す図である。
【００５０】
通知システム３０では、送信装置は、図１に示した送信装置１０と同様の構成であり、受信装置は、図２に示した受信装置２０と同様に構成であるので、同一符号を付してここでの詳細な説明を省略する。
【００５１】
通信システム３０では、ネットワーク３１が、送信装置１０と受信装置２０との間を接続する。ネットワーク３１は、例えば、携帯電話網、インターネット網や無線ＬＡＮ（Local Area Network）などが挙げられる。送信装置１０は、ネットワーク３１を介して受信装置２０と通信を行う。
【００５２】
本実施形態では、解析部１２の構成が、ネットワーク３１内に設けられてもよい。この場合、送信装置１０内の処理部１４は、検出部１１から出力される検出信号を要求情報として受信装置２０宛てに送信する。ネットワーク３１は、送信装置１０から送信された検出信号を受信すると、その検出信号に応じて送信者の動きを特定し、その送信者の動きを通知する通知処理の実行を要求する旨の要求情報を生成し、その要求情報を受信装置２０へ送信する。
【００５３】
さらに解析部１２の構成は、受信装置２０内の実行部２２に設けられてもよい。この場合、処理部１４は、検出部１１から出力された検出信号を受信装置２０宛てに送信する。受信装置２０において、受信部２１が、送信装置１０から送信された検出信号を受信すると、実行部２１は、その検出信号のパターンに応じて送信者の動きを特定する。そして実行部２１は、その特定した送信者の動きを通知する通知処理を実行する。
【００５４】
また、本実施形態では、送信装置１０と同様に受信装置２０が、受信装置２０のユーザの動きを表す検出信号を送信装置１０宛てに送信してもよい。この場合、受信装置２０は、送信装置１０と同様の検出部と処理部とを備える。受信装置２０では、検出部がユーザの動きを検出し、処理部は、検出部が検出した動きを表す検出信号を送信装置１０に送信する。さらに送信装置１０は、受信装置２０と同様の受信部と実行部とを備える。送信装置１０では、受信部が受信装置１０から検出信号を受信し、実行部は、その検出信号に応じて受信装置２０のユーザの動きを通知する通知処理を実行する。
【００５５】
次に通信システム３０の動作について説明する。
【００５６】
図４は、通信システム３０の通知方法の処理手順例を示すフローチャートである。
【００５７】
まず、送信装置１０における検出部１１は、話し手である送信装置１０のユーザの動き（身振り）を検出する（ステップＳ９１）。例えば、検出部１１は、加速度センサを用いてユーザの動きを検出する。
【００５８】
解析部１２は、検出部１１が検出したユーザの動きを解析する（ステップＳ９２）。例えば、解析部１２は、検出部１１の検出結果を用いて話し手の頭、腕や胴体などの上下左右の震えなどの動きを抽出してユーザの動きを特定する。例えば、解析部１２は、その特定したユーザの動きを示す動き情報を送信部１３に出力してもよい。本実施形態では、解析部１２は、ユーザの動きを特定すると、そのユーザの動きを通知する通知処理の実行を要求する旨の要求情報を生成し、その要求情報を送信部１３に出力する。
【００５９】
送信部１３は、解析部１２から要求情報を受け付けると、その要求情報を受信装置２０宛てに送信する（ステップＳ９３）。なお、送信部１３は、解析部１２から動き情報を受け付け、その動き情報を受信装置２０宛てに送信してもよい。
【００６０】
受信装置２０における受信部２１は、送信部１３から送信された要求情報を受信する（ステップＳ９４）。受信部２１は、送信部１３から要求情報を受信するとその要求情報を実行部２２に供給する。
【００６１】
実行部２２は、受信部２１から要求情報を受け付けるとその要求情報にて特定される通知処理を実行して送信装置１０のユーザの身振りを再現する（ステップＳ９５）。例えば、実行部２２は、要求情報を受け付けるとバイブレータを所定の動作で振動させる通知処理を実行する。そして、通知システム３０における通知方法の処理手順の一連の動作が終了する。
【００６２】
本実施形態によれば、送信装置１０では、検出部１１がユーザの動きを検出し、処理部１４は、検出部１１が検出したユーザの動き表す検出信号を受信装置２０に送信する。例えば、処理部１４は、検出部１１が検出したユーザの動きを通知する通知処理の実行を要求する旨の要求情報を検出信号として送信する。なお、検出信号は動き情報とも呼ばれる。
【００６３】
よって、送信装置１０は、ユーザが自己の動きを知らせるための操作をすることなく、ユーザの動きを表す検出信号を通信先に送信するため、ユーザの動きを通信先に通知することが可能となる。例えば、送信装置１０は、通話中にユーザが頭を下げるという動きや、ユーザが手を左右に振るという動きを通話の相手に通知することが可能となる。
【００６４】
また、本実施形態の受信装置２０では、受信部２１が、送信装置１０から要求情報を受信し、実行部２２はその要求情報を受信部２１から受け付けると、送信装置１０のユーザの動きを通知する通知処理を実行する。例えば、実行部２２は、バイブレータ２２２を有し、要求情報に応じてバイブレータ２２２を振動させる通知処理を実行する。
【００６５】
このため、受信装置２０は、バイブレータ２２２を用いて送信装置１０のユーザ（送信者）の動きを受信装置２０の使用者に通知することができる。例えば、受信装置２０は、送信装置１０から、ユーザが頭を下げた動きを通知する通知処理の実行を要求する旨の要求情報を受信すると、受信装置２０では、バイブレータ２２２が上から下へ流れるように振動する。
【００６６】
また、受信装置２０は、送信装置１０から、ユーザが手を左右に振った動きを通知する通知処理の実行を要求する旨の要求情報を受信すると、受信装置２０では、バイブレータ２２２が左から右に流れるように振動する。
【００６７】
よって、送信装置１０のユーザが無意識に行う動きを受信装置２０の使用者に通知することができる。
【００６８】
また、本実施形態では、受信装置２０において、検出部がユーザの動きを検出し、処理部は、検出部が検出したユーザの動きを表す動き情報を通信先の送信装置１０に送信してもよい。そして、送信装置１０では、受信部が動き情報を受信し、実行部は、受信部が受信した動き情報に表されたユーザの動きを通知する通知処理を実行する。
【００６９】
このため、送信装置１０と受信装置２０とを有する通知システム３０では、通話中に双方の動きを知ることが可能となるので、ユーザは相手の態度や心理状態を把握し易くなる。
【００７０】
以上説明した実施形態において、図示した構成は単なる一例であって、本発明はその構成に限定されるものではない。
【００７１】
上記の実施形態の一部または全部は、以下の付記のようにも記載されうるが、以下には限られない。
【００７２】
（付記１）ユーザの動きを検出する検出手段と、前記検出手段が検出したユーザの動きを表す動き情報を通信先に送信する送信手段と、を含む送信装置。
【００７３】
（付記２）前記送信手段は、前記検出手段が検出したユーザの動きを前記通信先の相手に通知する通知処理の実行を要求する旨の要求情報を、前記動き情報として送信する、付記１に記載の送信装置。
【００７４】
（付記３）通信元の送信者の動きを表す動き情報を前記通信元から受信する受信手段と、
前記受信手段にて受信された動き情報に応じて前記送信者の動きを通知する通知処理を実行する実行手段と、を含む通信装置。
【００７５】
（付記４）前記実行手段は、バイブレータを有し、前記通知処理として、前記動き情報に応じて前記バイブレータを振動させる処理を実行する、付記に１記載の通信装置。
【００７６】
（付記５）前記通信装置のユーザの動きを検出する検出手段と、前記検出手段が検出したユーザの動きを表す動き情報を通信先に送信する送信手段と、をさらに含む、付記３または４に記載の通信装置。
【００７７】
（付記６）送信装置と通信装置とを有する通知システムであって、前記送信装置は、前記送信装置のユーザの動きを検出する検出手段と、前記検出手段が検出したユーザの動きを表す動き情報を通信先の前記通信装置に送信する送信手段と、を含み、前記通信装置は、前記送信手段から送信された動き情報を受信する受信手段と、前記受信手段にて受信された動き情報に応じて前記ユーザの動きを通知する通知処理を実行する実行手段と、を含む、通知システム。
【００７８】
（付記７）前記実行手段は、バイブレータを有し、前記動き情報に応じて前記通知処理を実行して前記バイブレータを振動させる、付記６に記載の通知システム。
【００７９】
（付記８）送信装置の通知方法であって、前記送信装置のユーザの動きを検出する検出ステップと、前記検出されたユーザの動き表す動き情報を通信先に送信する送信ステップと、を含む通知方法。
【００８０】
（付記９）通信装置の通知方法であって、通信元の送信者の動き表す動き情報を前記通信元から受信する受信ステップと、前記受信された動き情報に応じて前記ユーザの動きを通知する通知処理を実行する実行ステップと、を含む通知方法。
【００８１】
（付記１０）送信装置と通信装置とを有する通知システムの通知方法であって、前記送信装置が、前記送信装置のユーザの動きを検出する検出ステップと、前記送信装置が、前記検出されたユーザの動き表す動き情報を通信先の前記通信装置に送信する送信ステップと、前記通信装置が、前記送信装置から送信された動き情報を受信する受信ステップと、前記通信装置が、前記受信された動き情報に応じて前記ユーザの動きを通知する通知処理を実行する実行ステップと、を含む通知方法。
【００８２】
（付記１１）送信装置内のコンピュータに、前記送信装置のユーザの動きを検出する検出手順と、前記検出手順にて検出されたユーザの動きを表す動き情報を通信先に送信する送信手順と、を実行させるためのプログラム。
【００８３】
（付記１２）通信装置内のコンピュータに、通信元の送信者の動きを表す動き情報を前記通信元から受信する受信手順と、前記受信手順にて受信された動き情報に応じて前記ユーザの動きを通知する通知処理を実行する実行手順と、を実行させるためのプログラム。
【符号の説明】
【００８４】
１０  送信装置
１１  検出部
１１１  加速度センサ
１１２  カメラ
１２  解析部
１２１  メモリ
１２２、２２３  ＣＰＵ
１３  送信部
１４  処理部
２０  受信装置
２１  受信部
２２  実行部
２２１  メモリ
２２２  バイブレータ
３０  通知システム
３１  ネットワーク
【図１】
2012216911.tif 000003
【図２】
2012216911.tif 000004
【図３】
2012216911.tif 000005
【図４】
2012216911.tif 000006